(57)【要約】【課題】ロール紙を内部に巻き戻す際に、ロール紙が内部においてよれて折曲してしまうのを防止するとともに、ロール紙に圧接痕が形成されたり、異物がケースの内部に混入してしまうのを防止し、さらに、ロール紙の一端部が内部に巻き戻されてもロール紙を確実に引き出す。【解決手段】内ケース３の正方向の回転により、内ケース３から引き出されたロール紙２を、内ケース３の外周面３ｄとの摩擦力によって外周面に沿わせながら通過路７を通過させて第２搬送口５ａから引き出し、内ケース３の逆方向の回転によって、外ケース５の外部に引き出されたロール紙２を通過路７に配置させながら巻き戻す。【選択図】      図２
2009154363.tif 000002
【特許請求の範囲】
【請求項１】
ロール紙が収納され、プリンタに着脱可能に装着されるロール紙カートリッジであって、
内部に前記ロール紙が収納され、前記ロール紙を内部から外部に引き出す第１搬送口が形成された内ケースと、
内部に前記内ケースが収納され、前記内ケースから引き出された前記ロール紙を前記プリンタにおいて記録が行われる記録部に引き出す第２搬送口が形成された外ケースとを備えており、
前記内ケースは、前記外ケースの内部において、前記内ケースの内部から外部にロール紙を引き出す正方向および逆方向に往復して回転可能とされており、
前記内ケースの外周面と前記外ケースの内周面との間隙を、前記内ケースから引き出された１枚の前記ロール紙が通過可能な通過路とし、
前記通過路の長さ寸法を、前記プリンタにおいて記録を行う一画面の長さ寸法以上に形成し、
前記内ケースの正方向の回転により、前記内ケースから引き出された前記ロール紙を、前記内ケースの外周面との摩擦力によって前記外周面に沿わせながら前記通過路を通過させて前記第２搬送口から引き出し、前記内ケースの逆方向の回転によって、前記外ケースの外部に引き出された前記ロール紙を前記通過路に配置させながら巻き戻すことを特徴とするロール紙カートリッジ。
【請求項２】
前記記録部における記録に用いられるインクリボンが収納されるインクリボンカセットが、一体に形成されていることを特徴とする請求項１に記載のロール紙カートリッジ。
【請求項３】
内部に前記ロール紙が収納され、前記ロール紙を内部から外部に引き出す第１搬送口が形成された内ケースと、内部に前記内ケースが収納され、前記内ケースから引き出された前記ロール紙を前記プリンタにおいて記録が行われる記録部に引き出す第２搬送口が形成された外ケースとを備えており、前記内ケースは、前記外ケースの内部において、前記内ケースの内部から外部にロール紙を引き出す正方向および逆方向に往復して回転可能とされており、前記内ケースの外周面と前記外ケースの内周面との間隙を、前記内ケースから引き出された１枚の前記ロール紙が通過可能な通過路とし、前記通過路の長さ寸法を、前記プリンタにおいて記録を行う一画面の長さ寸法以上に形成し、前記内ケースの正方向の回転により、前記内ケースから引き出された前記ロール紙を、前記内ケースの外周面との摩擦力によって前記外周面に沿わせながら前記通過路を通過させて前記第２搬送口から引き出し、前記内ケースの逆方向の回転によって、前記外ケースの外部に引き出された前記ロール紙を前記通過路に配置させながら巻き戻すロール紙カートリッジが着脱可能に装着されており、
前記内ケースに回転の駆動力を伝達する駆動力伝達手段を備えていることを特徴とするプリンタ。
【発明の詳細な説明】
【技術分野】
【０００１】
本発明はロール紙カートリッジおよびプリンタに係り、特に、ロール紙をロール紙カートリッジの内部からプリンタの記録部への正方向および逆方向に往復可能に搬送するロール紙カートリッジ、およびこのロール紙カートリッジが装着されるプリンタに関する。
【背景技術】
【０００２】
従来より、ロール紙カートリッジからロール紙を引き出して記録を行うプリンタが、コストの低廉化等の観点から用いられている（例えば、特許文献１および特許文献２参照）。
【０００３】
図６は、従来のロール紙カートリッジの第１の例を示す概略断面図であり、図６に示すように、従来のロール紙カートリッジ３１は、ボビン３２に巻回された長尺状のロール紙３３と、内部にロール紙３３を収納するケース３５とを備えている。ケース３５には、ロール紙３３をケース３５の内部からプリンタ３８における記録を行う記録部へ引き出す搬送口３６が形成されている。
【０００４】
このロール紙カートリッジ３１が装着されるプリンタ３８においては、イエロー、マゼンタ、シアン等のインクが塗布されてなる着色領域が連続して配置された長尺なインクリボンシートが収納されている図示しないリボンカートリッジが、ロール紙カートリッジ３１の近傍に装着されるようになっている。インクリボンシートは、両端部がそれぞれ別々に巻回されたボビンの回転により所定の方向に搬送されるようになっている。また、プリンタ３８における図示しない記録部は、記録ヘッドと、インクリボンシートおよびロール紙３３を介して記録ヘッドに対向する位置に配置されたプラテンとを備えている。さらに、プリンタ３８には、ロール紙カートリッジ３１の装着時におけるロール紙カートリッジ３１の搬送口３６の近傍に、ケース３５の内部から引き出されたロール紙３３を挟持する搬送ローラ３７が回転可能に配設されている。そして、プリンタ３８は、両搬送ローラ３７を所定の方向に回転することにより、ロール紙３３をケース３５の内部から引き出す正方向に搬送するようになっている。
【０００５】
図７は、従来のロール紙カートリッジの第２の例を示す概略断面図であり、前述の従来例におけるロール紙カートリッジと同一の構成については、詳説を省略する。図７に示すように、従来の他の例のロール紙カートリッジ３１は、内部にロール紙３３が収納されたケース３５を備えており、ケース３５には、ロール紙３３をケース３５の内部から記録部へ引き出す搬送口３６が形成されている。そして、ロール紙３３は、ロール紙３３の外周面における一部分が搬送口３６に当接してケース３５から露出されるように搬送口３６側に付勢されながら収納されている。
【０００６】
このロール紙カートリッジ３１が装着されるプリンタ３８には、ロール紙カートリッジ３１の装着時における搬送口３６の配置位置に、搬送口３６から露出されたロール紙３３の外周面に圧接するように搬送ローラ３７が回転可能に配設されている。そして、プリンタ３８は、搬送ローラ３７をロール紙３３の外周面に圧接させながら所定の方向に回転することにより、ロール紙３３を正方向に搬送するようになっている。
【０００７】
図８は、従来のロール紙カートリッジの第３の例を示す概略断面図であり、前述の各従来例におけるロール紙カートリッジと同一の構成については、詳説を省略する。図８に示すように、従来のさらに他の例のロール紙カートリッジ３１は、内部にロール紙３３が収納されたケース３５を備えており、ケース３５には、ロール紙３３をケース３５の内部から記録部へ引き出す搬送口３６が、ロール紙３３の外周面における一部分を露出するように形成されている。
【０００８】
このロール紙カートリッジ３１が装着されるプリンタ３８には、ロール紙カートリッジ３１の装着時における搬送口３６の配置位置に、搬送口３６から露出されたロール紙３３の外周面に常に圧接するように搬送ローラ３７がロール紙３３の外周面側に付勢されて回転可能に配設されている。そして、プリンタ３８は、搬送ローラ３７をロール紙３３の外周面に圧接させながら所定の方向に回転することにより、ロール紙３３を正方向に搬送するようになっている。
【０００９】
さらに、従来のロール紙カートリッジの第４の例として、ロール紙が収納され筐体の内部において回転自在に保持されたロール紙ケースを有するロール紙カートリッジが省スペース化、操作者の操作の容易性の観点から考えられている（例えば、特許文献３参照）。このロール紙カートリッジの筐体には、ロール紙カートリッジの内部からロール紙を引き出すための搬送口が形成されており、この搬送口の近傍には、ロール紙ケースの内部から引き出されたロール紙を挟持する一対のピンチローラが配設されている。そして、ロール紙カートリッジは、両ピンチローラの回転により、ロール紙をロール紙ケースの内部から搬送口を介してプリンタの記録部への正方向に搬送するようになっている。
【００１０】
このロール紙カートリッジが装着されるプリンタは、ロール紙カートリッジの装着時における搬送口の近傍に設けられロール紙カートリッジから引き出されたロール紙を挟持する一対の搬送ローラを備え、両搬送ローラの回転により、ロール紙カートリッジから引き出されたロール紙をさらに正方向に搬送するようになっている。
【００１１】
ここで、前述のような従来の各プリンタ３８においてカラー印刷を行う場合には、記録を行う長さ分のロール紙３３を正方向に搬送した後、ロール紙３３をボビン３２に巻き戻すように逆方向に搬送しながら、インクリボンシートにおける１つの着色領域を用いて記録を行う。さらに、プリンタ３８は、他の着色領域を用いて記録を行うために、ロール紙３３を正方向に搬送した後、逆方向に搬送しながら記録を行う。
【００１２】
このため、第１から第３の従来例の各プリンタ３８は、搬送ローラ３７およびボビン３２の回転により、ロール紙３３をプリンタ３８の記録部からロール紙カートリッジ３１の内部側へ逆方向に搬送するようになっている。
【００１３】
また、第４の従来例のプリンタは、ロール紙ケースの逆方向の回転によって、ロール紙をロール紙ケースの外周面に巻き付けながらロール紙ケースの外周面と筐体の内周面との間においてロール紙カートリッジの内部へ巻き戻す逆方向に搬送するようになっている。
【００１４】
【特許文献１】特開２００１−０８８３８５号公報
【特許文献２】特開２００７−１６１４５６号公報
【特許文献３】国際公開第２００６／１２３８６５号パンフレット
【発明の開示】
【発明が解決しようとする課題】
【００１５】
しかし、第１から第３の各従来例におけるロール紙カートリッジ３１においては、特にロール紙３３の残量が少なくなってロール紙３３の外周面とケース３５の内周面３５ａとの間隙が広くなると、ロール紙３３を逆方向に搬送してケース３５の内部に巻き戻す際に、ロール紙３３がケース３５の内周面３５ａとの間においてよれて折曲してしまうおそれがあるという問題を有していた。
【００１６】
また、第２および第３の各従来例に係る各ロール紙カートリッジ３１においては、搬送ローラ３７がロール紙３３の外周面に圧接されるので、ロール紙３３に搬送ローラ３７の圧接痕がついてしまう場合があった。さらに、図８に示す従来例に係るロール紙カートリッジ３１においては、ロール紙３３の残量によってロール紙３３の搬送経路が変化してしまい、搬送されているロール紙３３が搬送口３６に接触しないように搬送口３６を大きく形成しなければならず、この結果、ケース３５の内部にごみ等の異物が入り込んでしまう場合があった。
【００１７】
さらに、第４の従来例におけるロール紙カートリッジにおいては、ロール紙を逆方向に搬送してロール紙カートリッジの内部に巻き戻す際に、ロール紙がロール紙ケースの外周面と筐体の内周面との間においてよれて折曲してしまうおそれがあった。さらには、ロール紙をロール紙カートリッジの内部に巻き戻す際に、ロール紙カートリッジの内部においてロール紙ケースから引き出されたロール紙の一端部が両ピンチローラによる挟持から外れてロール紙ケースの外周面と筐体の内周面との間に巻き戻されてしまった場合には、ロール紙をロール紙カートリッジから引き出すことができなくなってしまうという問題を有していた。
【００１８】
本発明はこれらの点に鑑みてなされたものであり、ロール紙を内部に巻き戻す際に、ロール紙が内部においてよれて折曲してしまったり、ロール紙に圧接痕が形成されたり、異物がケースの内部に混入してしまうのを防止することができ、さらに、ロール紙の一端部が内部に巻き戻されても確実にロール紙を引き出すことが可能なロール紙カートリッジおよびプリンタを提供することを目的とする。
【課題を解決するための手段】
【００１９】
前記目的を達成するため、本発明に係るロール紙カートリッジの特徴は、ロール紙が収納され、プリンタに着脱可能に装着されるロール紙カートリッジであって、内部に前記ロール紙が収納され、前記ロール紙を内部から外部に引き出す第１搬送口が形成された内ケースと、内部に前記内ケースが収納され、前記内ケースから引き出された前記ロール紙を前記プリンタにおいて記録が行われる記録部に引き出す第２搬送口が形成された外ケースとを備えており、前記内ケースは、前記外ケースの内部において、前記内ケースの内部から外部にロール紙を引き出す正方向および逆方向に往復して回転可能とされており、前記内ケースの外周面と前記外ケースの内周面との間隙を、前記内ケースから引き出された１枚の前記ロール紙が通過可能な通過路とし、前記通過路の長さ寸法を、前記プリンタにおいて記録を行う一画面の長さ寸法以上に形成し、前記内ケースの正方向の回転により、前記内ケースから引き出された前記ロール紙を、前記内ケースの外周面との摩擦力によって前記外周面に沿わせながら前記通過路を通過させて前記第２搬送口から引き出し、前記内ケースの逆方向の回転によって、前記外ケースの外部に引き出された前記ロール紙を前記通過路に配置させながら巻き戻す点にある。
【００２０】
この本発明に係るロール紙カートリッジによれば、ロール紙を逆方向に搬送してロール紙カートリッジの内部に巻き戻す際には、ロール紙を、１枚のロール紙のみが通過可能な通過路に配置させることができる。また、内ケースの正方向の回転により、内ケースの外周面とロール紙との間に生じる摩擦力によってロール紙を正方向に搬送することができる。
【００２１】
また、本発明に係る他のロール紙カートリッジの特徴は、前記記録部における記録に用いられるインクリボンが収納されるインクリボンカセットが、一体に形成されている点にある。
【００２２】
本発明に係る他のロール紙カートリッジによれば、インクリボンカセットが、一体に形成されているロール紙カートリッジにおいて、ロール紙を逆方向に搬送してロール紙カートリッジの内部に巻き戻す際には、ロール紙を、１枚のロール紙のみが通過可能な通過路に配置させることができる。また、内ケースの正方向の回転により、内ケースの外周面とロール紙との間に生じる摩擦力によってロール紙を正方向に搬送することができる。
【００２３】
さらに、本発明に係るプリンタの特徴は、内部に前記ロール紙が収納され、前記ロール紙を内部から外部に引き出す第１搬送口が形成された内ケースと、内部に前記内ケースが収納され、前記内ケースから引き出された前記ロール紙を前記プリンタにおいて記録が行われる記録部に引き出す第２搬送口が形成された外ケースとを備えており、前記内ケースは、前記外ケースの内部において、前記内ケースの内部から外部にロール紙を引き出す正方向および逆方向に往復して回転可能とされており、前記内ケースの外周面と前記外ケースの内周面との間隙を、前記内ケースから引き出された１枚の前記ロール紙が通過可能な通過路とし、前記通過路の長さ寸法を、前記プリンタにおいて記録を行う一画面の長さ寸法以上に形成し、前記内ケースの正方向の回転により、前記内ケースから引き出された前記ロール紙を、前記内ケースの外周面との摩擦力によって前記外周面に沿わせながら前記通過路を通過させて前記第２搬送口から引き出し、前記内ケースの逆方向の回転によって、前記外ケースの外部に引き出された前記ロール紙を前記通過路に配置させながら巻き戻すロール紙カートリッジが着脱可能に装着されており、前記内ケースに回転の駆動力を伝達する駆動力伝達手段を備えている点にある。
【００２４】
本発明に係るプリンタによれば、ロール紙を逆方向に搬送してロール紙カートリッジの内部に巻き戻す際には、駆動力伝達手段を介して内ケースを逆方向に回転することにより、ロール紙を、１枚のロール紙のみが通過可能な通過路に配置させることができる。また、駆動力伝達手段を介して内ケースを正方向に回転することにより、内ケースの外周面とロール紙との間に生じる摩擦力によってロール紙を正方向に搬送することができる。
【発明の効果】
【００２５】
以上述べたように、本発明に係るロール紙カートリッジによれば、ロール紙をロール紙カートリッジの内部に巻き戻す際に、ロール紙が内部においてよれて折曲してしまうのを防止することができる。また、ロール紙を正逆両方向に搬送するために、搬送ローラを巻回されたロール紙に直接圧接させることがないので、ロール紙に圧接痕が形成されてしまうのを防止することができるとともに、ロール紙をロール紙カートリッジの内部から引き出すための搬送口を大きく形成しなくていいので、異物がロール紙カートリッジの内部に混入してしまうのを低減、防止することができる。さらに、内ケースの正方向の回転によってロール紙を正方向に搬送してロール紙カートリッジの外部から引き出すことができるので、たとえ、ロール紙の一端部が両搬送ローラの挟持から外れてロール紙カートリッジの内部における内ケースと外ケースとの間の通過路に巻き戻されてしまった場合であっても、再度、ロール紙をロール紙カートリッジの内部から確実に引き出すことができる。
【００２６】
また、本発明に係るプリンタによれば、ロール紙をロール紙カートリッジの内部に巻き戻す際に、ロール紙が内部においてよれて折曲してしまうのを防止することができる。また、ロール紙を正逆両方向に搬送するために、搬送ローラを巻回されたロール紙に直接圧接させることがないので、ロール紙に圧接痕が形成されてしまうのを防止することができるとともに、ロール紙をロール紙カートリッジの内部から引き出すための搬送口を大きく形成しなくていいので、異物がロール紙カートリッジの内部に混入してしまうのを低減、防止することができる。さらに、内ケースの正方向の回転によってロール紙を正方向に搬送してロール紙カートリッジの外部から引き出すことができるので、たとえ、ロール紙の一端部が両搬送ローラの挟持から外れてロール紙カートリッジの内部における内ケースと外ケースとの間の通過路に巻き戻されてしまった場合であっても、再度、ロール紙をロール紙カートリッジの内部から確実に引き出すことができる。
【発明を実施するための最良の形態】
【００２７】
以下、本発明に係るロール紙カートリッジを装着したプリンタの一実施形態を図１から図５を参照して説明する。
【００２８】
図１は、本実施形態に係るロール紙カートリッジを示す斜視図、図２は、図１におけるロール紙カートリッジの要部を示す概略断面図である。
【００２９】
図１および図２に示すように、ロール紙カートリッジ１は、ロール状に巻回された長尺状のロール紙２を有し、ロール紙２は、ロール紙２の周面をほぼ被覆する円筒状の内ケース３の内部に収納されており、内ケース３には、ロール紙２を内ケース３の内部から外部に引き出すための第１搬送口３ａが形成されている。
【００３０】
図３に示すように、内ケース３における円形状の２つの側面の中央部には、それぞれ円柱形状の軸部３ｂが２つの側面から突出して形成されており、軸部３ｂには、複数（本実施形態においては３つ）の爪部３ｃが内周面から軸部３ｂの中心軸側に突出して形成されている。
【００３１】
内ケース３は、内ケース３をほぼ被覆する円筒状の外ケース５の内部において、内ケース３の内部から外部にロール紙２を引き出す正方向および逆方向に往復して回転可能に収納されており、ロール紙２は、内ケース３の正方向の回転と同一の方向に巻回されるように内ケース３の内部に収納されている。
【００３２】
外ケース５には、内ケース３から引き出されたロール紙２を外ケース５の内部から外部に引き出すための第２搬送口５ａが形成されている。この外ケース５は、内部に収納された内ケース３を交換可能なように開閉自在に形成されていてもよい。
【００３３】
内ケース３の外周面３ｄと外ケース５の内周面５ｂとの間隙は、内ケース３から引き出された１枚のロール紙２が通過可能な通過路７とされており、通過路７の長さ寸法は、このロール紙カートリッジ１が装着されるプリンタ８において記録を行う一画面の長さ寸法以上に形成されている。ロール紙２は、通過路７において内ケース３の外周面３ｄに当接するとともに、外ケース５の内周面５ｂに摺接しながらか、あるいは当接しないように通過するようになっており、内ケース３の外周面３ｄは、内ケース３の外周面３ｄとロール紙２との間の摩擦係数が、外ケース５の内周面５ｂとロール紙２との間の摩擦係数に比較して大きくなるように形成されている。そして、ロール紙カートリッジ１は、内ケース３の正方向の回転により、内ケース３の第１搬送口３ａから引き出されたロール紙２を、ロール紙２が当接する内ケース３の外周面３ｄとの摩擦力によって内ケース３の外周面３ｄに沿わせながら、通過路７を通過させて第２搬送口５ａから送り出すようになっている。また、ロール紙カートリッジ１は、内ケース３の逆方向の回転により、第２搬送口５ａから送り出されたロール紙２を内ケース３の外周面３ｄに沿って通過路７に位置するように巻き戻すようになっている。
【００３４】
また、ロール紙カートリッジ１における外ケース５の近傍には、イエロー、マゼンタ、シアン等のインクが塗布された着色領域が順次連続した長尺なインクリボンシート１１が収納されたインクリボンカートリッジ１２が配設されており、インクリボンシート１１の一端部側は筒状の巻取用ボビン１５に、インクリボンシート１１の他端部は筒状の供給用ボビン１６にそれぞれ巻回されている。
【００３５】
巻取用ボビン１５は、巻取用ボビン１５に巻回されたインクリボンシート１１を被覆する巻取用ボビン収納部１７の内部に収納されており、巻取用ボビン収納部１７は、外ケース５に連結されている。また、供給用ボビン１６は、供給用ボビン１６に巻回されたインクリボンシート１１をほぼ被覆する供給用ボビン収納部１８の内部に収納されており、供給用ボビン収納部１８は、外ケース５および巻取用ボビン収納部１７の外面から離間する位置に配置され、それぞれ連結壁１２ａ、１２ｂによって外ケース５および巻取用ボビン収納部１７の外面に連設されている。これにより、インクリボンカートリッジ１２は、ロール紙カートリッジ１と一体に形成されている。
【００３６】
供給用ボビン収納部１８には、供給用ボビン１６に巻回されたインクリボンシート１１を供給用ボビン収納部１８の内部から巻取用ボビン１５の方向に搬送するための図示しない第３搬送口が形成され、巻取用ボビン収納部１７には、供給用ボビン１６の方向から搬送されたインクリボンシート１１を巻取用ボビン収納部１７の内部へ搬送するための図示しない第４搬送口が形成されている。そして、インクリボンカートリッジ１２は、インクリボンシート１１を供給用ボビン１６から第３搬送口、第４搬送口を介して巻取用ボビン１５に巻き取るように搬送するようになっている。
【００３７】
巻取用ボビン収納部１７と供給用ボビン収納部１８とを連結する連結壁１２ａには、インクリボンシート１１の供給用ボビン１６から巻取用ボビン１５への搬送経路の途中に対向する位置に、インクリボンシート１１の両面をインクリボンカートリッジ１２から露出させるための開口１２ｃが形成されている。
【００３８】
そして、ロール紙２を収納する内ケース３、この内ケース３を収納する外ケース５、およびインクリボンシート１１を収納するインクリボンカートリッジ１２を備えたロール紙カートリッジ１は、プリンタ８に着脱可能に装着されるようになっている。
【００３９】
このロール紙カートリッジ１１が装着されるプリンタ８には、図４に示すように、ロール紙カートリッジ１の装着時において外ケース５における第１搬送口３ａの近傍に、ロール紙２における外ケース５から引き出された部分を両面から挟持する一対の搬送ローラ２０（２０ａ、２０ｂ）が回転可能に設けられている。両搬送ローラ２０のうち一方の搬送ローラ２０ａには、図示しない駆動手段が連結されており、他方の搬送ローラ２０ｂは、一方の搬送ローラ２０ａの回転に従動するようになっている。そして、一方の搬送ローラ２０ａは、駆動手段の駆動によって所定の方向に回転することにより、他方の搬送ローラ２０ｂとともに挟持したロール紙２を所定の方向に搬送するようになっている。
【００４０】
また、プリンタ８は、内ケース３における両軸部３ｂのうち一方の軸部３ｂの各爪部３ｃに噛合する図示しない駆動力伝達手段を介して、内ケース３に回転の駆動力を付与する図示しない駆動モータ等の駆動手段を備えている。そして、プリンタ８は、駆動手段の駆動により、駆動力伝達手段を介してロール紙２を外ケース５から引き出す正方向に回転するとともに、ロール紙２を外ケース５と内ケース３との間の通過路７に巻き戻すように内ケース３を逆方向に回転するようになっている。この内ケース３に回転の駆動力を付与する駆動力伝達手段および駆動手段として、従来のロール紙カートリッジ１におけるロール紙２が巻回されたボビンに回転の駆動力を付与するために配設された駆動力伝達手段および駆動手段を用いてもよい。
【００４１】
さらに、プリンタ８は、ロール紙カートリッジ１の外ケース５から引き出されたロール紙２に記録を行う記録部２２を備えており、記録部２２は、図示しない複数の発熱素子を備えた記録ヘッド２２ａと、インクリボンシート１１およびロール紙２を介して各発熱素子に対向する位置に回転可能に設けられた円筒状のプラテン２２ｂとを備えている。
【００４２】
ロール紙２の正方向の搬送方向における記録部２２よりも上流側には、記録部２２における記録が終了したロール紙２を所定の長さ寸法に切断する切断部２３が配設されており、ロール紙２の正方向の搬送方向における切断部２３よりも上流側には、切断部２３において切断されたロール紙２を保持する図示しない保持部が配設されている。
【００４３】
ロール紙２の搬送経路におけるロール紙カートリッジ１の装着時において外ケース５の第２搬送口５ａから巻取用ボビン収納部１７の第３搬送口の間には、搬送されるロール紙２を挟持して案内する図示しない複数のガイドローラが回転可能に設けられており、プリンタ８は、ロール紙２を各ガイドローラによって案内しながら、搬送経路を所定の張力をもって搬送するようになっている。さらに、プリンタ８におけるロール紙カートリッジ１の装着時において巻取用ボビン収納部１５の第３搬送口の近傍には、インクリボンシート１１に形成されたマークによってインクリボンシート１１における各着色領域の開始端縁を検出する図示しないリボンセンサが設けられている。
【００４４】
そして、このプリンタ８は、記録を行う一画面の長さ分のロール紙２を正方向に搬送した後、ロール紙２をロール紙カートリッジ１の内部に巻き戻すように逆方向に搬送しながら、インクリボンシート１１における１つの着色領域を用いて記録を行うようになっている。さらに、プリンタ８は、他の着色領域を用いて記録を行うために、前述と同様にロール紙２を正方向に搬送した後、逆方向に搬送しながら記録を行う動作を繰り返すことにより、カラー画像の記録を行うようになっている。
【００４５】
次に、本実施形態に係る作用について説明する。
【００４６】
ロール紙２をロール紙カートリッジ１の内部から送り出す正方向に搬送する場合、まず、ロール紙カートリッジ１は、プリンタ８の駆動手段の駆動によって内ケース３を正方向（図２において矢印Ａの反時計回り）に回転することにより、内ケース３の外周面３ｄとロール紙２との摩擦によってロール紙２を通過路７を介して正方向（図２において矢印Ｂ）に搬送し、外ケース５の外部に送り出す。そして、通過路７に配置されたロール紙２が通過路７から送り出され、ロール紙２が内ケース３の第１搬送口３ａから外ケース５の第２搬送口５ａを介して外ケース５の外部へほぼ直線状に搬送される状態となると、内ケース３の正方向の回転は停止する。また、プリンタ８は、外ケース５の外部に引き出されたロール紙２を両搬送ローラ２０ａｂによって挟持し、駆動手段の駆動によって両搬送ローラ２０ａｂを正方向（図２において矢印Ｃの時計回り）に回転することにより、ロール紙２を記録部２２に至るようにさらに正方向に搬送する。
【００４７】
このとき、プリンタ８においては、内ケース３の正方向の回転によるロール紙２の搬送速度が、両搬送ローラ２０ａｂによるロール紙２の搬送速度と比較して遅くなるように設定されていることが好ましい。これにより、ロール紙カートリッジ１と両搬送ローラ２０ａｂとの間においてロール紙２を所定の張力をもって搬送することができる。
【００４８】
続いて、ロール紙２をロール紙カートリッジ１の内部へ巻き戻す逆方向に搬送する場合、まず、プリンタ８は、駆動手段の駆動によって両搬送ローラ２０ａｂを逆方向（図５において矢印Ｄの時計回り）に回転することにより、ロール紙２を逆方向に搬送する。また、ロール紙カートリッジ１は、プリンタ８の駆動手段の駆動によって内ケース３を逆方向（図５において矢印Ｅの時計回り）に回転することにより、ロール紙２をロール紙カートリッジ１の内部に巻き戻し、通過路７に位置させる。そして、プリンタ８の記録における一画面分のロール紙２がロール紙カートリッジ１の通過路７に位置すると、内ケース３および両搬送ローラ２０ａｂの逆方向への回転は停止する。ここで、通過路７は、プリンタ８の記録における一画面の長さ寸法よりも長く形成されており、さらに、通過路７は、１枚のロール紙２のみが通過可能な幅寸法に形成されているので、ロール紙２を通過路７に位置させるようにロール紙カートリッジ１の内部へ巻き戻す逆方向に搬送する際、ロール紙２が通過路７において重なることはない。
【００４９】
このとき、プリンタ８においては、内ケース３の逆方向の回転によるロール紙２の搬送速度が、両搬送ローラ２０ａｂによるロール紙２の搬送速度と比較して速くなるように設定されていることが好ましい。これにより、両搬送ローラ２０ａｂとロール紙カートリッジ１との間においてロール紙２を所定の張力をもって搬送することができる。
【００５０】
本実施形態によれば、前述のように、ロール紙カートリッジ１における通過路７は、プリンタ８の記録における一画面の長さ寸法よりも長く形成されており、１枚のロール紙２のみが通過可能な幅寸法に形成されており、ロール紙２を逆方向に搬送してロール紙カートリッジ１の内部に巻き戻す際には、ロール紙２を通過路７に配置させることができる。
【００５１】
したがって、ロール紙２をロール紙カートリッジ１の内部に巻き戻す際に、ロール紙２が内部においてよれて折曲してしまうのを防止することができる。また、ロール紙２を正逆両方向に搬送するために、搬送ローラ２０が、巻回されたロール紙２に直接圧接することがないので、ロール紙２に圧接痕が形成されてしまうのを防止することができるとともに、ロール紙２をロール紙カートリッジ１の内部から送り出すための搬送口を大きく形成しなくていいので、異物がロール紙カートリッジ１の内部に混入してしまうのを低減、防止することができる。さらに、内ケース３の正方向の回転によってロール紙２を正方向に搬送してロール紙カートリッジ１の外部から引き出すことができるので、たとえ、ロール紙２の一端部が両搬送ローラ２０ａｂの挟持から外れてロール紙カートリッジ１の内部における通過路７に巻き戻されてしまった場合であっても、再度、ロール紙２をロール紙カートリッジ１の内部から確実に引き出すことができる。
【００５２】
なお、本発明は前記実施形態に限定されるものではなく、必要に応じて種々変更することが可能である。
【００５３】
また、内ケース３は、プリンタ８に設けられたくどう手段の駆動によって駆動力伝達手段を介して回転するようになっているが、これに限定されるものではなく、他の駆動手段によって回転するようにしてもよい。
【００５４】
さらに、本実施形態においては、インクリボンカートリッジ１２が一体となっているロール紙カートリッジ１について説明しているが、本発明はこれに限定されるものではなく、インクリボンカートリッジ１２一体となっていないロール紙カートリッジ１に適用することも可能である。
【図面の簡単な説明】
【００５５】
【図１】本発明に係るロール紙カートリッジの一実施形態を示す斜視図
【図２】図１のロール紙カートリッジを装着したプリンタの要部を示す概略断面図
【図３】図１のロール紙カートリッジを示す断面図
【図４】図１のロール紙カートリッジを示す断面図
【図５】図３の搬送ローラ収納部において係止片が搬送ギアにおける係止から解除された状態を示す概略断面図
【図６】従来のロール紙カートリッジを装着したプリンタの要部の一例を示す断面図
【図７】従来のロール紙カートリッジを装着したプリンタの要部の他の例を示す断面図
【図８】従来のロール紙カートリッジを装着したプリンタの要部のさらに他の例を示す断面図
【符号の説明】
【００５６】
１  ロール紙カートリッジ
２  ロール紙
３  内ケース
３ａ  第１搬送口
３ｄ  外周面
５  外ケース
５ａ  第２搬送口
５ｂ  内周面
７  通過路
９  プリンタ
２０  搬送ローラ
【図１】
2009154363.tif 000003
【図２】
2009154363.tif 000004
【図３】
2009154363.tif 000005
【図４】
2009154363.tif 000006
【図５】
2009154363.tif 000007
【図６】
2009154363.tif 000008
【図７】
2009154363.tif 000009
【図８】
2009154363.tif 000010